(57)【要約】【課題】構内電話交換機を用いた環境において、ＩＰ電話サービスを容易に導入するための音声ゲートウェイ装置を提供する。【解決手段】本発明に係る音声ゲートウェイ装置３０を含む通信システムは、電話端末１０と、構内電話交換機２０と、音声ゲートウェイ装置３０と、コールエージェント４０と、ＩＰ網７と、公衆電話回線網８とから概略構成されている。音声ゲートウェイ装置３０は、構内電話交換機２０との局線９と、加入者回線４と、加入者回線４を使用してディジタル信号を送受するｘＤＳＬモデム１とを接続し、音声帯域信号とＩＰパケットとを相互に変換するとともに、音声帯域信号及びＩＰパケットを送受信する機能を有している。【選択図】　　　図１
2004128891.tif 000002
【特許請求の範囲】
【請求項１】
加入者回線と構内電話交換機との間に挿入して、該構内電話交換機が送受する音声帯域信号とＩＰパケットとの変換を行う音声ゲートウェイ装置であって、
複数の前記加入者回線を接続する加入者回線接続部と、
前記構内電話交換機と接続される局線を複数接続する局線接続部と、
前記ＩＰパケットを疎通するＩＰ網と接続されるＩＰ通信路を接続するＩＰ網接続部と、
前記局線を介して前記構内電話交換機から受信した通信先の電話番号に基づいて、該局線を介して該構内電話交換機から受信した音声帯域信号を前記ＩＰパケットに変換して前記ＩＰ通信路に送出するか、該音声帯域信号を前記加入者回線に送出するかを選択して、該局線と該ＩＰ通信路または該加入者回線とを交換接続する交換手段と
を有することを特徴とする音声ゲートウェイ装置。
【請求項２】
前記局線がすべて通信中のときに、前記加入者回線を介して前記構内電話交換機に対する着信呼を受信した場合または前記ＩＰ通信路を介して前記構内電話交換機に対する着信呼を受信した場合には、該着信呼を生起した通信端末に対して該局線が通信中のために該着信呼を交換接続できないことを通知する話中通知手段を有することを特徴とする請求項１に記載の音声ゲートウェイ装置。
【請求項３】
前記話中通知手段は、前記局線がすべて通信中のときに、前記加入者回線を介して前記構内電話交換機に対する着信呼を受信した場合、該着信呼を処理した網に対して、該局線が通信中であることを示す所定の動作を行い、
該網が、該所定の動作に応じて該着信呼を生起した前記通信端末に対して通信中信号を送信することにより、該局線が通信中のために該着信呼を交換接続できないことを通知することを特徴とする請求項２に記載の音声ゲートウェイ装置。
【請求項４】
前記話中通知手段は、前記着信呼を生起した前記通信端末に対して、前記局線が通信中である旨の音声帯域信号を送信することにより、該局線が通信中のために該着信呼を交換接続できないことを通知することを特徴とする請求項２に記載の音声ゲートウェイ装置。
【請求項５】
前記局線接続部は、前記加入者回線側として動作するインターフェースを用いて前記構内電話交換機と接続することを特徴とする請求項１乃至４のいずれか一項に記載の音声ゲートウェイ装置。
【請求項６】
前記局線は、特定の電話番号と対応付けられており、前記交換手段は、特定の前記局線が通信中のときに、該局線と対応付けられた電話番号に対する着信呼を受信した場合には、通信に使用されていない他の前記局線を捕捉して該着信呼を交換接続することを特徴とする請求項１乃至５のいずれか一項に記載の音声ゲートウェイ装置。
【請求項７】
前記交換手段は、前記ＩＰ網が障害の場合には、前記通信先の電話番号にかかわらず、前記局線と前記加入者回線とを交換接続することを特徴とする請求項１乃至６のいずれか一項に記載の音声ゲートウェイ装置。
【請求項８】
前記交換手段が正常に動作しない場合には、前記加入者回線と前記局線とを直結して電話通信を可能とする迂回接続手段を有することを特徴とする請求項１乃至７のいずれか一項に記載の音声ゲートウェイ装置。
【発明の詳細な説明】
【０００１】
【発明の属する技術分野】
本発明は、構内電話交換機が送受する音声帯域信号とＩＰ網において疎通されるＩＰパケットとの変換を行う音声ゲートウェイ装置に関する。
【０００２】
【従来の技術】
企業の事業所等においては、当該事業所等の構内に配備される多数の電話端末と電話回線とを効率的に交換接続するため、構内電話交換機（Ｐｒｉｖａｔｅ　Ｂｒａｎｃｈ　ｅＸｃｈａｎｇｅ）を設置することが一般的である。
【０００３】
例えば図７に示すように、当該事業所等の構内１００には構内電話交換機２０が設置され、電話端末１０は、電話端末１０の通信条件や電気的特性に合致した内線インターフェース２２を用いて構内電話交換機２０と接続される。
【０００４】
また、加入者回線４は、公衆電話回線網８による電話サービスを提供する通信事業者が設置する加入者線交換機８０ａと接続されるとともに、当該通信事業者との保守責任分解点である中継端子３を介し、加入者回線４の通信条件や電気的特性に合致した局線インターフェース２１を用いて構内電話交換機２０と接続される。
【０００５】
一方、近年の通信技術の進歩やインターネットの発展により、公衆電話回線網８による電話サービスと比較して通信料金が安価である、いわゆるＩＰ電話サービスが普及している。このような状況を踏まえ、構内電話交換機２０を用いて公衆電話回線網８による電話サービスを利用している利用者が、ＩＰ電話サービスの利用を要望するようになっていた。
【０００６】
構内電話交換機２０を用いてＩＰ電話サービスを利用するためには、音声帯域信号とＩＰパケットとを相互に変換する音声ゲートウェイ装置や加入者回線４を用いて高速ディジタル伝送を実現するｘＤＳＬモデム等を構内電話交換機２０と加入者回線４との間に介在させることが必要となる。
【０００７】
【特許文献１】
特開２００２−１１２３７０号公報（第６−８頁、第１−２図）
【０００８】
【発明が解決しようとする課題】
しかしながら、上述した音声ゲートウェイ装置やｘＤＳＬモデム等の従来のＩＰ電話サービス提供装置は、構内電話交換機を利用する環境において一般的である複数の加入者回線を接続することができず、構内電話交換機を用いる環境への導入には適さないという問題があった。
【０００９】
さらに、このような従来のＩＰ電話サービス提供装置を構内電話交換機と接続するためには、それまで加入者回線を接続していた局線インターフェースに代えて内線インターフェースを構内電話交換機に実装しなければならず、当該インターフェースの購入費用が発生するという問題や、当該構内電話交換機の回線の収容状況によっては、当該構内電話交換機の改修または置換に伴う費用が発生するという問題があった。
【００１０】
また、従来のＩＰ電話サービス提供装置は、公衆電話回線網及びＩＰ網の両方の網に接続できるようになっていたが、ＩＰ網を介して通信を行っている際に、公衆電話回線網を介して着信呼を受信した場合、公衆電話回線網に対して、通信中のために当該着信呼を交換接続できないことを通知できず、公衆電話回線網は、当該着信呼を生起した電話端末等の通信端末に対して呼出音（ＲＢＴ）を送出し続けてしまうという問題があった。特に、構内電話交換機を用いる環境においては、発着信の呼量が多いため、このような状況が発生する頻度が高くなり、重大な問題となっていた。
【００１１】
そこで、本発明は以上の点に鑑みてなされたものであり、構内電話交換機を用いた環境において、ＩＰ電話サービスを容易に導入するための音声ゲートウェイ装置を提供することを課題とする。
【００１２】
【課題を解決するための手段】
本発明の第一の特徴は、加入者回線と構内電話交換機との間に挿入して、その構内電話交換機が送受する音声帯域信号とＩＰパケットとの変換を行う音声ゲートウェイ装置であって、複数の加入者回線を接続する加入者回線接続部と、構内電話交換機と接続される局線を複数接続する局線接続部と、ＩＰパケットを疎通するＩＰ網と接続されるＩＰ通信路を接続するＩＰ網接続部と、局線を介して構内電話交換機から受信した通信先の電話番号に基づいて、その局線を介してその構内電話交換機から受信した音声帯域信号をＩＰパケットに変換してＩＰ通信路に送出するか、その音声帯域信号を加入者回線に送出するかを選択して、その局線とそのＩＰ通信路またはその加入者回線とを交換接続する交換手段とを有することを要旨とする。
【００１３】
かかる特徴によれば、音声ゲートウェイ装置が、複数の加入者回線及び構内電話交換機と接続される局線を接続するため、構内電話交換機を用いる環境におけるＩＰ電話サービスの導入を容易にすることができる。
【００１４】
かかる特徴によれば、音声ゲートウェイ装置が、局線を介して構内電話交換機から受信した通信先の電話番号に基づいて、その局線を介して構内電話交換機から受信した音声帯域信号をＩＰパケットに変換してＩＰ通信路に送出するか、加入者回線接続部を介してその音声帯域信号を加入者回線に送出するかを選択して、局線とＩＰ通信路または加入者回線とを交換接続するため、通信先の電話番号に応じて公衆電話回線網とＩＰ網とを使い分けることができる。
【００１５】
本発明の第二の特徴は、局線がすべて通信中のときに、加入者回線を介して構内電話交換機に対する着信呼を受信した場合またはＩＰ通信路を介して構内電話交換機に対する着信呼を受信した場合には、その着信呼を生起した通信端末に対して、その局線が通信中のためにその着信呼を交換接続できないことを通知する話中通知手段を有することを要旨とする。
【００１６】
本発明の第三の特徴は、本発明の第二の特徴において、話中通知手段が、局線がすべて通信中のときに、加入者回線を介して構内電話交換機に対する着信呼を受信した場合、その着信呼を処理した網に対して、局線が通信中であることを示す所定の動作を行い、その網が、その所定の動作に応じてその着信呼を生起した通信端末に対して通信中信号を送信することにより、その局線が通信中のためにその着信呼を交換接続できないことを通知することを要旨とする。
【００１７】
かかる特徴によれば、音声ゲートウェイ装置が、着信呼を処理した網に対して、局線が通信中であることを通知する信号を送信し、網が、通知された信号に応じてその着信呼を生起した通信端末に対して通信中信号を送信することにより、局線が通信中のためにその着信呼を交換接続できないことを通知するため、加入者回線を介して構内電話交換機に対する着信呼を生起した当該通信端末に対して、局線が通信中のために応答できないことを確実に通知することができる。
【００１８】
本発明の第四の特徴は、本発明の第二の特徴において、話中通知手段が、着信呼を生起した通信端末に対して、局線が通信中である旨の音声帯域信号を送信することにより、その局線が通信中のためにその着信呼を交換接続できないことを通知することを要旨とする。
【００１９】
かかる特徴によれば、音声ゲートウェイ装置が、着信呼を生起した通信端末に対して、局線が通信中である旨の音声帯域信号を送信することにより、局線が通信中のためにその着信呼を交換接続できないことを通知するため、当該通信端末に対して、局線が通信中のために応答できないことを確実に通知することができる。
【００２０】
本発明の第五の特徴は、本発明の第一乃至第四の特徴において、局線接続部は、加入者回線側として動作するインターフェースを用いて構内電話交換機と接続することを要旨とする。
【００２１】
かかる特徴によれば、音声ゲートウェイ装置が、加入者回線側として動作するインターフェースを用いて構内電話交換機と接続するため、構内電話交換機においては、音声ゲートウェイ装置を接続する以前に加入者回線を接続していたインターフェースを継続して使用することができ、構内電話交換機の改修や置換を回避することができる。
【００２２】
本発明の第六の特徴は、本発明の第一乃至第互の特徴において、局線が、特定の電話番号と対応付けられており、交換手段が、特定の局線が通信中のときに、その局線と対応付けられた電話番号に対する着信呼を受信した場合には、通信に使用されていない他の局線を捕捉してその着信呼を交換接続することを要旨とする。
【００２３】
かかる特徴によれば、音声ゲートウェイ装置が、特定の局線が通信中にその局線と対応付けられた電話番号に対する着信呼を受信した場合には、局線接続部と接続される他の使用していない局線を捕捉してその着信呼を交換接続するため、効率的に着信呼を処理することができる。
【００２４】
本発明の第七の特徴は、本発明の第一乃至第六の特徴において、交換手段が、ＩＰ網が障害の場合には、通信先の電話番号にかかわらず、局線と加入者回線とを交換接続することを要旨とする。
【００２５】
かかる特徴によれば、ＩＰ網が障害の場合には、音声ゲートウェイ装置が、局線と加入者回線接続部を介して加入者回線とを交換接続するため、ＩＰ網の障害時においても一定の電話通信を確保することができる。
【００２６】
本発明の第八の特徴は、本発明の第一乃至第七の特徴において、交換手段が正常に動作しない場合には、加入者回線と局線とを直結して電話通信を可能とする迂回接続手段を有することを要旨とする。
【００２７】
かかる特徴によれば、音声ゲートウェイ装置が、加入者回線接続部に接続される加入者回線と前記局線接続部に接続される前記局線とを直結して電話通信を可能とするため、音声ゲートウェイ装置の障害時においても一定の電話通信を確保することができる。
【００２８】
【発明の実施の形態】
（一実施形態に係る音声ゲートウェイ装置を含む通信システムの全体構成）
本発明の一実施形態に係る音声ゲートウェイ装置について図面を参照しながら説明する。図１は、本実施形態に係る音声ゲートウェイ装置３０を含む通信システムを示す概略構成図である。
【００２９】
同図に示すように、本実施形態に係る音声ゲートウェイ装置３０を含む通信システムは、電話端末１０と、構内電話交換機２０と、音声ゲートウェイ装置３０と、コールエージェント４０と、ＩＰ網７と、公衆電話回線網８とから概略構成されている。
【００３０】
電話端末１０は、音声帯域信号の入出力と送受信とが可能な通信端末であり、構内電話交換機２０と接続される。
【００３１】
構内電話交換機２０は、複数の電話端末１０と音声ゲートウェイ装置３０と接続される複数の局線９とを接続し、電話端末１０と局線９とを交換接続する機能を有している。構内電話交換機２０は、本実施形態では、例えば音声帯域信号ならびに発呼・応答信号の送受信や電話端末１０に対する電力を供給することができるＦＸＳ（Ｆｏｒｅｉｇｎ　Ｅｘｃｈａｎｇｅ　Ｓｔａｔｉｏｎ）インターフェースを用いて、電話端末１０を接続することができる。また、構内電話交換機２０は、例えば加入者回線４を接続するための信号条件や電気的特性を具備するＦＸＯ（Ｆｏｒｅｉｇｎ　Ｅｘｃｈａｎｇｅ　Ｏｆｆｉｃｅ）インターフェースを用いて、音声ゲートウェイ装置３０との回線を接続することができる。
【００３２】
音声ゲートウェイ装置３０は、構内電話交換機２０と接続される局線９と、加入者回線４と、加入者回線４を使用してディジタル信号を送受するｘＤＳＬモデム１とを接続し、音声帯域信号とＩＰパケットとを相互に変換するとともに、音声帯域信号及びＩＰパケットを送受信する機能を有している。なお、加入者回線４は、加入者回線４を提供する通信事業者との保守責任分解点である中継端子３を介して音声ゲートウェイ装置３０と接続される。また、ｘＤＳＬモデム１は、ディジタル信号と音声帯域信号を分離するスプリッタ２を介して加入者回線４と接続される。ｘＤＳＬモデム１は、例えばＩＴＵ−Ｔ　Ｇ．９９２．１（Ｇ．　ＤＭＴ）や同９９２．２（Ｇ．　Ｌｉｔｅ）に規定されるＡＤＳＬ（Ａｓｙｍｍｅｔｒｉｃ　Ｄｉｇｉｔａｌ　Ｓｕｂｓｃｒｉｂｅｒ　Ｌｉｎｅ）モデムを用いることができる。
【００３３】
コールエージェント４０は、ＩＰ網７を介した電話通信を提供するために、電話番号とＩＰアドレスの変換やＩＰ網７における電話呼を処理する機能を有している。コールエージェント４０は、本実施形態では、例えばＭＥＧＡＣＯ（Ｍｅｄｉａ　Ｇａｔｅｗａｙ　Ｃｏｎｔｒｏｌ）／ＭＧＣＰ（Ｍｅｄｉａ　Ｇａｔｅｗａｙ　Ｃｏｎｔｒｏｌ　Ｐｒｏｔｏｃｏｌ）において規定されるＭＧＣ（Ｍｅｄｉａ　Ｇａｔｅｗａｙ　Ｃｏｎｔｒｏｌｌｅｒ）により実現することができる。また、コールエージェント４０は、ＩＴＵ−Ｔ　Ｈ．３２３において規定されるゲートキーパまたはＳｅｓｓｉｏｎ　Ｉｎｉｔｉａｔｉｏｎ　Ｐｒｏｔｏｃｏｌ（ＳＩＰ）において規定されるＳＩＰサーバであってもよい。
【００３４】
ＩＰ網７は、ＩＰ電話サービスを提供するためのＴＣＰ／ＩＰを基盤とした通信ネットワークであり、スプリッタ２及び音声ゲートウェイ装置３０と接続されるｘＤＳＬモデム１と対向する集合型のｘＤＳＬモデムであるＤＳＬＡＭ５を介して加入者回線４と接続される。
【００３５】
ＩＰ網７は、本実施形態では、例えばインターネットを用いることができる。また、ＩＰ網７は、ＩＰ電話サービスを提供するためのＴＣＰ／ＩＰを基盤とした専用の閉域網であってもよい。
【００３６】
公衆電話回線網８は、回線交換方式を用いた電話回線網（ＰＳＴＮ）であり、加入者線交換機８０ａ，８０ｂを用いて加入者回線４を接続する。また、ＩＰ網７と公衆電話回線網８とは、網間接続ゲートウェイ７０ａ，７０ｂと加入者線交換機８０ａ，８０ｂとを介して相互に通信が可能に接続される。また、網間接続ゲートウェイ７０ａ，７０ｂと加入者線交換機８０ａ，８０ｂとは、例えばＩＴＵ−Ｔにおいて規定されるＮｏ．７共通線信号方式を用いて電話番号等の信号情報を送受できるようになっている。
【００３７】
上述のような本実施形態に係る音声ゲートウェイ装置３０を含む通信システムでは、電話端末１０が、ＩＰ網７によるＩＰ電話サービスに加入する電話端末６０とのＩＰ網７を介した電話通信及び公衆電話回線網８に接続される一般加入電話端末９０との電話通信を、構内電話交換機２０を介して行うことができる。
【００３８】
また、電話端末６０は、音声帯域信号とＩＰパケットとの変換及びコールエージェント４０に対するＩＰアドレスの問合せ処理を実行するＶｏＩＰアダプタ５０とｘＤＳＬモデム１とスプリッタ２とを介してＩＰ網７に接続される。
【００３９】
次に、図２を参照して、本実施形態に係る音声ゲートウェイ装置３０の構成を説明する。同図に示すように、音声ゲートウェイ装置３０は、加入者回線接続部３１と、局線接続部３２と、ＩＰ網接続部３３と、ＶｏＩＰ変換部３４と、接続制御部３５と、音声応答部３６と、記憶部３７と、外部インターフェース部３８とを有している。
【００４０】
加入者回線接続部３１は、加入者回線４を接続するための信号条件や電気的特性を満足するインターフェースを具備し、複数の加入者回線４を接続するものである。加入者回線接続部３１は、本実施形態では、例えば電話用銅線ケーブルにより構成された加入者回線を介して加入者線交換機８０ａ，８０ｂと接続するための信号条件や電気的特性を満足する２線式インターフェースであるＦＸＯインターフェースを実装することができる。
【００４１】
なお、加入者回線接続部３１が接続できる加入者回線４の数は、音声ゲートウェイ装置３０と接続される構内電話交換機２０の規模に応じて変更してもよい。また、加入者回線接続部３１は、加入者回線４を介して接続される加入者線交換機８０ａ側の信号条件や電気的特性や加入者回線４と加入者線交換機８０ａとの間に介在する通信設備の構成等に応じて、例えば４線式のインターフェースを実装してもよい。
【００４２】
局線接続部３２は、構内電話交換機２０と接続される局線９を接続するための信号条件や電気的特性を満足するインターフェースを具備し、複数の局線９を接続するものである。局線接続部３２は、本実施形態では、例えば構内電話交換機２０に実装されるＦＸＯインターフェースと接続可能な信号条件や電気的特性を有するインターフェースを実装することができる。
【００４３】
局線接続部３２が、構内電話交換機２０に実装されるＦＸＯインターフェースと接続可能な信号条件や電気的特性を有するインターフェースを実装することにより、構内電話交換機２０が音声ゲートウェイ装置３０を接続する以前に加入者回線４を接続していたＦＸＯインターフェースを継続して使用することができる。
【００４４】
なお、局線接続部３２が接続できる局線９の数は、音声ゲートウェイ装置３０と接続される構内電話交換機２０の規模に応じて変更してもよい。
【００４５】
ＩＰ網接続部３３は、本実施形態では、ＩＰ網７を介してＴＣＰ／ＩＰプロトコル群を用いた通信を可能とするＩＰ通信路６を接続するものである。
【００４６】
具体的には、ＩＰ網接続部３３は、ＬＡＮ通信が可能なインターフェースを具備し、ＬＡＮ通信が可能な機器等とＩＰパケットを送受信するものであり、例えばＩＥＥＥ８０２．３において規定される１０ＢＡＳＥ−Ｔや同８０２．３ｕにおいて規定される１００ＢＡＳＥ−ＴＸを用いることができる。
【００４７】
本実施形態に係るＩＰ網接続部３３は、ｘＤＳＬモデム１と接続され、スプリッタ２と電話用銅線ケーブルにより構成された加入者回線４とＤＳＬＡＭ５とを介してＩＰ網７と接続される。
【００４８】
なお、本実施形態に係るＩＰ網接続部３３は、ｘＤＳＬモデム１と接続されているが、例えばメディア・コンバータ等を用いて光ファイバーにより構成される加入者回線を介してＩＰ網７に接続してもよい。
【００４９】
ＶｏＩＰ変換部３４は、局線接続部３２が送受信する音声帯域信号とＩＰ網接続部３３が送受信するＩＰパケットとを相互に変換するとともに、ＩＰ網７を介して当該ＩＰパケットを疎通させるために必要となるヘッダ等を付加するものである。
【００５０】
ＶｏＩＰ変換部３４は、本実施形態では、例えば６４ｋビット／秒で伝送するＩＴＵ−Ｔ　Ｇ．８１１や、８ｋビット／秒で伝送する同Ｇ．７２９　Ａｎｎｅｘ−Ａを用いて音声帯域信号をディジタル化し、そのディジタル化した音声帯域信号をＩＰパケットに変換することができる。また、ＶｏＩＰ変換部３４は、ＩＰパケットの内容に応じて、ＵＤＰまたはＴＣＰヘッダや、ＲＴＰ（Ｒｅａｌ−ｔｉｍｅ　Ｔｒａｎｓｐｏｒｔ　Ｐｒｏｔｏｃｏｌ）ヘッダを付加することができる。
【００５１】
接続制御部３５は、局線９を介して構内電話交換機２０から受信した通信先の電話番号に基づいて、その局線９を介して受信した音声帯域信号を、ＶｏＩＰ変換部３４によってＩＰパケットに変換してＩＰ網接続部３３に対して送出するか、加入者回線接続部３１に送出するかを選択するものである。また、接続制御部３５は、その選択結果に基づいて、局線９と、ＩＰ通信路６、または加入者回線４とを交換接続する機能を有するものである。
【００５２】
さらに、接続制御部３５は、ＩＰ網接続部３３を介して受信したＩＰパケットをＶｏＩＰ変換部３４によって音声帯域信号に変換して局線９に送出する機能及び加入者回線接続部３１を介して加入者回線４から受信した音声帯域信号をその局線９に送出する機能を有するものである。
【００５３】
具体的には、接続制御部３５は、記憶部３７に登録されている電話番号情報に基づいて、局線９とＩＰ網接続部３３または加入者回線接続部３１に接続される加入者回線４とを交換接続するかを決定することができる。
【００５４】
このように接続制御部３５は、記憶部３７に格納されている電話番号情報に基づいて交換接続先を決定するため、電話端末１０の利用者は、ＩＰ網７または公衆電話回線網８を介した電話通信の選択を意識することなく、ＩＰ網７または公衆電話回線網８による電話サービスを使い分けることができる。さらに、接続制御部３５は、通信を許可しない電話番号が記憶部３７に格納されている場合には、当該電話番号に対して発信規制を施すこともできる。
【００５５】
また、接続制御部３５は、局線９が特定の電話番号と対応付けられている場合において、ある局線９が通信中のときに、その局線９と対応付けられた電話番号に対する着信呼を受信した場合には、通信に使用されていない他の局線９を捕捉して当該着信呼を交換接続する機能を有している。
【００５６】
例えば図３は、「電話番号：１２３４−１１１１」と対応付けられた局線９ａ及び「電話番号：１２３４−１１１２」と対応付けられた局線９ｂが、接続制御部３５によって交換接続され通信中の状態において、さらに「電話番号：１２３４−１１１１」宛ての着信呼を受信した場合を示している。接続制御部３５は、「電話番号：１２３４−１１１１」と対応付けられた局線９ａが既に通信中のことを認識し、通信に使用されていない「電話番号：１２３４−１１１３」と対応付けられた局線９ｃを使用して当該着信呼を受信した加入者回線４と局線９ｃとを交換接続することができる。
【００５７】
また、接続制御部３５は、本実施形態では、局線９とＩＰ通信路６とを交換接続する場合には、局線９を介して受信した通信先の電話番号に対応するＩＰアドレスをコールエージェント４０から取得することができる。
【００５８】
さらに、接続制御部３５は、本実施形態では、ＩＰ網７が障害の場合には、局線９を介して受信した通信先の電話番号にかかわらず、その局線９と加入者回線４とを交換接続することができる。接続制御部３５は、例えばコールエージェント４０との通信が確立できない場合にＩＰ網７の障害の判定することができる。
【００５９】
なお、本実施形態では、ＶｏＩＰ変換部３４と接続制御部３５とにによって交換手段を構成する。
【００６０】
また、接続制御部３５は、本実施形態では、局線９がすべて通信中のときに、加入者回線４を介して構内電話交換機２０に対する着信呼を受信した場合、その着信呼を処理した網に対して、局線９が通信中であることを示す動作を行い、その網が、その動作に応じてその着信呼を生起した通信端末に対して通信中信号を送信することにより、その局線９が通信中のためにその着信呼を交換接続できないことを通知することができる。なお、本実施形態では、接続制御部３５は、話中通知手段を構成する。
【００６１】
接続制御部３５は、局線９がすべて通信中のときに、加入者回線接続部３１に接続される通信に使用されていない（アイドル状態の）他の加入者回線４を介して構内電話交換機２０対する着信呼を受信した場合、例えば公衆電話回線網８によって提供される電話サービスの付加サービスである番号情報送出機能（ダイヤルイン）または発信電話番号受信機能（ナンバー・ディスプレイ）において用いられる接続動作シーケンスを利用して、公衆電話回線網８と接続される加入者線交換機８０ａ，８０ｂに対して局線９が通信中であることを示すことができる。
【００６２】
具体的には、接続制御部３５は、番号情報送出機能または発信電話番号受信機能において用いられている接続動作シーケンスを利用して、加入者線交換機８０ａ，８０ｂからの呼出信号（ＩＲ等）または情報受信端末起動信号（ＣＡＲ）に対する一次応答信号（直流ループ）を返送後、所定時間の経過後に当該着信呼を受信した加入者回線４のループを開放する。
【００６３】
接続制御部３５が当該着信呼を受信した加入者回線４のループを開放することによって、加入者線交換機８０ａ，８０ｂは、局線９が通信中であることを認識し、構内電話交換機２０に対する当該着信呼を生起した電話端末等の通信端末に対して話中音（ＢＴ）を送信することができる。
【００６４】
また、接続制御部３５は、当該着信呼を生起した通信端末に対して、局線９が通信中である旨の音声帯域信号を送信することにより、その局線９が通信中のためにその着信呼を交換接続できないことを通知するものである。
【００６５】
具体的には、接続制御部３５は、本実施形態では、局線９がすべて通信中のときに、加入者回線４を介して構内電話交換機２０に対する着信呼を受信した場合、当該着信呼に応答し、当該着信呼を生起した通信端末に対して音声応答部３６に格納されたトーキーを送信することによって、局線９が通信中であることを通知することができる。これにより、上述した番号情報送出機能や発信電話番号受信機能といった付加サービスを利用しない場合においても、接続制御部３５は、当該着信呼を生起した通信端末に対して、局線９が通信中であることを確実に通知することができる。
【００６６】
また、接続制御部３５は、ＩＰ通信路６を介して構内電話交換機２０に対する着信呼を受信した場合においても、当該着信呼に応答し、当該着信呼を生起した通信端末に対して音声応答部３６に格納されたトーキーを送出してもよい。
【００６７】
さらに、接続制御部３５は、本実施形態では、局線９がすべて通信中のときに、ＩＰ網接続部３３を介して構内電話交換機２０に対する着信呼を受信した場合、コールエージェント４０に対して局線９が通信中であることを通知する信号を送出することができる。コールエージェント４０は、接続制御部３５からの通知に基づいて、当該着信呼を生起した通信端末が接続されるＶｏＩＰアダプタ５０に対して、当該通信端末が発信した電話番号が通信中であることを通知することができる。
【００６８】
また、接続制御部３５は、本実施形態では、局線９と、ＩＰ通信路６、または加入者回線４とを交換接続する機能が正常に動作しない場合には、加入者回線４と局線９とを直結して電話通信を可能とする迂回接続手段を構成する。
【００６９】
具体的には、接続制御部３５は、例えば音声ゲートウェイ装置３０に供給される電源等の障害によって、当該交換接続する機能が正常に動作しない場合には、加入者回線４と局線９との間のおいて音声帯域信号の疎通が可能となるように接続し、接続制御部３５による交換接続機能を介在しないようにすることができる。
【００７０】
音声応答部３６は、接続制御部３５からの指示に応じて局線９が通信中である旨のトーキーを送出するものである。
【００７１】
本実施形態に係る音声応答部３６は、例えば「只今電話が込み合っております……」といった音声メッセージを格納し、接続制御部３５からの指示に応じて当該音声メッセージを送出することができる。また、音声応答部３６は、電話端末１０を用いて入力された任意の音声メッセージを音声応答部３６に格納し、この格納された音声メッセージを接続制御部３５からの指示に応じて送出することもできる。
【００７２】
また、音声応答部３６が、構内電話交換機２０に対する着信呼を生起した電話端末等の通信端末に対して、局線９が通信中の旨のトーキーを送出している間に、いずれかの局線９を用いた通信が終了した場合には、接続制御部３５は、その局線９を用いて当該着信呼を交換接続することができる。
【００７３】
記憶部３７は、ＩＰ網７または公衆電話回線網８を介して電話通信を行うべき通信先の電話番号を格納するものである。
【００７４】
記憶部３７は、本実施形態では、公衆電話回線網８を介して電話通信を行うべき電話番号及び通信を許可しない電話番号を格納することができる。記憶部３７は、例えば市外局番＋市内局番＋加入者番号、市外局番＋市内局番、市外局番、国番号等の任意の電話番号または電話番号のブロックを格納することができる。なお、通信を許可しない電話番号には特定の識別子が付与され、接続制御部３５が交換接続する際に判断することができる。
【００７５】
また、記憶部３７は、コールエージェント４０から受信した、通信先の電話番号に対応付けられたＩＰアドレス等を一時的に記憶することができる。
【００７６】
外部インターフェース部３８は、記憶部３７に対する電話番号の登録や音声ゲートウェイ装置３０に対する設定を行うために外部機器を接続するための通信インターフェースを提供するものである。
【００７７】
外部インターフェース部３８は、本実施形態では、例えばＲＳ−２３２Ｃインターフェースを実装し、ＰＣ等を接続することができる。記憶部３７に対する電話番号の登録及び音声ゲートウェイ装置３０に対する設定は、外部インターフェース部３８と接続されたＰＣ等によって行うことができる。
【００７８】
（上述の通信システムの動作）
上述の通信システムの動作について図４乃至図６を参照して説明する。
【００７９】
図４は、本実施形態に係る通信システムにおいて、電話端末１０が、電話端末６０に対して発信する場合における通信シーケンス図である。
【００８０】
電話端末１０から電話端末６０に付与された電話番号が入力されることにより、電話端末１０から構内電話交換機２０に対してその入力された電話番号が送出される（Ｓ４０１）。
【００８１】
構内電話交換機２０は、電話端末１０と局線９とを交換接続し、音声ゲートウェイ装置３０に対して電話端末１０から受信した電話番号を送出する（Ｓ４０３）。
【００８２】
音声ゲートウェイ装置３０は、音声ゲートウェイ装置３０に格納された電話番号情報に基づき、構内電話交換機２０から受信した電話番号が、ＩＰ網７を経由して通信するべきことを判断し、当該電話番号に対応するＩＰアドレスをコールエージェント４０に対して問い合わせる（Ｓ４０５）。
【００８３】
コールエージェント４０は、電話端末６０と接続されるＶｏＩＰアダプタ５０に対して着信を通知する（Ｓ４０７）。
【００８４】
ＶｏＩＰアダプタ５０は、コールエージェント４０からの着信を認識し、電話端末６０との回線の極性を反転させ、電話端末６０に対して呼出信号を送出する（Ｓ４０９）。
【００８５】
電話端末６０の受話器が上がる（オフフックする）ことにより、電話端末６０は、ＶｏＩＰアダプタ５０との回線をループし、コールエージェント４０からの呼出しに応答する（Ｓ４１１）。
【００８６】
ＶｏＩＰアダプタ５０は、音声ゲートウェイ装置３０との通信コネクションに利用するポート番号及び電話端末６０が応答したことをコールエージェント４０に通知する（Ｓ４１３）。
【００８７】
コールエージェント４０は、音声ゲートウェイ装置３０に対して、ＶｏＩＰアダプタ５０に付与されたＩＰアドレスと、ＶｏＩＰアダプタ５０から通知されたポート番号を通知する（Ｓ４１５）。
【００８８】
音声ゲートウェイ装置３０は、コールエージェント４０から通知されたＶｏＩＰアダプタ５０に付与されたＩＰアドレスと、通信コネクションに利用するポート番号に基づいて、ＶｏＩＰアダプタ５０に対して通信コネクションの設定を要求する（Ｓ４１７）。
【００８９】
ＶｏＩＰアダプタ５０は、音声ゲートウェイ装置３０からの通信コネクションの設定の要求に応答して通信コネクションを設定する（Ｓ４１９）。
【００９０】
音声ゲートウェイ装置３０は、ステップＳ４１７及びステップＳ４１９において設定された通信コネクションとステップＳ４０３において電話端末６０に付与された電話番号を受信した局線９とを交換接続する（Ｓ４２１）。
【００９１】
また、ＶｏＩＰアダプタ５０は、ステップＳ４１７及びステップＳ４１９において設定された通信コネクションを利用して電話端末６０を通信可能に接続する（Ｓ４２３）。
【００９２】
ステップＳ４２１及びステップＳ４２３の処理が完了することにより、電話端末１０と電話端末６０との通信が開始される（Ｓ４２５）。
【００９３】
図５は、本実施形態に係る通信システムにおいて、電話端末１０が、一般加入電話端末９０に対して発信する場合における通信シーケンス図である。
【００９４】
電話端末１０から一般加入電話端末９０に付与された電話番号が入力されることにより、電話端末１０から構内電話交換機２０に対してその入力された電話番号が送出される（Ｓ５０１）。
【００９５】
構内電話交換機２０は、電話端末１０と音声ゲートウェイ装置３０と接続される局線９とを交換接続し、音声ゲートウェイ装置３０に対して電話端末１０から受信した電話番号を送出する（Ｓ５０３）。
【００９６】
音声ゲートウェイ装置３０は、音声ゲートウェイ装置３０に格納された電話番号情報に基づき、構内電話交換機２０から受信した電話番号が、ＩＰ網７を経由して通信するべきことを判断し、当該電話番号に対応するＩＰアドレスをコールエージェント４０に対して問い合わせる（Ｓ５０５）。なお、音声ゲートウェイ装置３０は、構内電話交換機２０から受信した電話番号が、公衆電話回線網８を経由して通信するべきものである場合には、加入者線交換機８０ａに対して、当該電話番号を送出する。
【００９７】
コールエージェント４０は、音声ゲートウェイ装置３０から受信した電話番号が公衆電話回線網８によって提供される電話サービスに加入する一般加入電話端末であることを認識し、網間接続ゲートウェイ７０ｂにその電話番号を転送する（Ｓ５０７）。
【００９８】
網間接続ゲートウェイ７０ｂは、加入者線交換機８０ｂに対して、共通線信号によりコールエージェント４０から転送された電話番号を通知する（Ｓ５０９）。
【００９９】
加入者線交換機８０ｂは、網間接続ゲートウェイ７０ｂから通知された電話番号に基づいて、一般加入電話端末９０との回線の極性を反転させ、一般加入電話端末９０に対して呼出信号を送出する（Ｓ５１１）。
【０１００】
一般加入電話端末９０の受話器が上がる（オフフックする）ことにより、一般加入電話端末９０は、加入者線交換機８０ｂとの回線をループし、加入者線交換機８０ｂからの呼出しに応答する（Ｓ５１３）。
【０１０１】
加入者線交換機８０ｂは、一般加入電話端末９０が呼出しに応答したことを共通線信号により網間接続ゲートウェイ７０ｂに通知する（Ｓ５１５）。
【０１０２】
網間接続ゲートウェイ７０ｂは、加入者線交換機８０ｂから一般加入電話端末９０が呼出しに応答したことが通知されると、コールエージェント４０に対して、音声ゲートウェイ装置３０との通信コネクションに利用するポート番号を通知する（Ｓ５１７）。
【０１０３】
コールエージェント４０は、音声ゲートウェイ装置３０に対して、網間接続ゲートウェイ７０ｂに付与されたＩＰアドレスと、網間接続ゲートウェイ７０ｂから通知されたポート番号を通知する（Ｓ５１９）。
【０１０４】
音声ゲートウェイ装置３０は、コールエージェント４０から通知された網間接続ゲートウェイ７０ｂに付与されたＩＰアドレスと、通信コネクションに利用するポート番号に基づいて、網間接続ゲートウェイ７０ｂに対して通信コネクションの設定を要求する（Ｓ５２１）。
【０１０５】
網間接続ゲートウェイ７０ｂは、音声ゲートウェイ装置３０からの通信コネクションの設定の要求に応答して通信コネクションを設定する（Ｓ５２３）。
【０１０６】
音声ゲートウェイ装置３０は、ステップＳ５２１及びステップＳ５２３において設定された通信コネクションとステップＳ５０３において一般加入電話端末９０に付与された電話番号を受信した局線９とを交換接続する（Ｓ５２５）。
【０１０７】
また、網間接続ゲートウェイ７０ｂは、ステップＳ５２１及びステップＳ５２３において設定された通信コネクションを利用して、加入者線交換機８０ｂを介して一般加入電話端末９０を通信可能に接続する（Ｓ５２７）。
【０１０８】
ステップＳ５２５及びステップＳ５２７の処理が完了することにより、電話端末１０と一般加入電話端末９０との通信が開始される（Ｓ５２９）。
【０１０９】
次に、図６を用いて、本実施形態に係る音声ゲートウェイ装置３０に対する着信呼の処理の動作について説明する。
【０１１０】
音声ゲートウェイ装置３０は、ＩＰ網７または公衆電話回線網８からの着信呼を受信する（Ｓ６０１）。
【０１１１】
音声ゲートウェイ装置３０は、通信に使用されていない局線９の有無を確認する（Ｓ６０３）。
【０１１２】
音声ゲートウェイ装置３０は、通信に使用されていない局線９がある場合には、局線９と当該着信呼を受信した加入者回線４またはＩＰ通信路６とを交換接続する（Ｓ６０５）。
【０１１３】
音声ゲートウェイ装置３０は、局線９がすべて通信中の場合、ＩＰ網７または公衆電話回線網８のいずれの網からの着信呼であるかを判断する（Ｓ６０７）。
【０１１４】
ＩＰ網７からの着信呼である場合、音声ゲートウェイ装置３０は、コールエージェント４０に対して、局線９がすべて通信中のため、当該着信呼を交換接続できないことを通知する信号を送信する（Ｓ６０９）。
【０１１５】
音声ゲートウェイ装置３０が、コールエージェント４０に対して当該着信呼を交換接続できないことを通知することにより、コールエージェント４０は、当該着信呼を生起した通信端末が接続されるＶｏＩＰアダプタ５０に対して、その通信端末が発信した電話番号が通信中であることを通知することができる。
【０１１６】
次に、公衆電話回線網８からの着信呼である場合、音声ゲートウェイ装置３０は、当該着信呼を受信した加入者回線４に対して、一次応答信号（直流ループ）を返送する（Ｓ６１１）。
【０１１７】
ここで、音声ゲートウェイ装置３０は、番号情報送出機能（ダイヤルイン）または発信電話番号受信機能（ナンバー・ディスプレイ）を利用しているか否かによって、異なる動作を実行する（Ｓ６１３）。
【０１１８】
番号情報送出機能または発信電話番号受信機能を利用していない場合には、音声ゲートウェイ装置３０は、当該着信呼に応答し、当該着信呼を生起した通信端末との通信路を確立する（Ｓ６１５）。
【０１１９】
音声ゲートウェイ装置３０は、ステップＳ６１５において確立された通信路を用いて、局線９がすべて通信中のため接続できない旨の音声メッセージを、当該着信呼を生起した通信端末に対して送信する（Ｓ６１７）。
【０１２０】
また、番号情報送出機能または発信電話番号受信機能を利用している場合には、音声ゲートウェイ装置３０は、ステップＳ６１１における一次応答信号を返送から所定の時間経過後に、一次応答信号を返送するために生成した加入者回線４のループを開放する（Ｓ６１９）。
【０１２１】
音声ゲートウェイ装置３０が、ステップＳ６１９の動作を実行することにより、その加入者回線４と接続される加入者線交換機８０ａは、音声ゲートウェイ装置３０に接続される局線９がすべて通信中のため当該着信呼を交換接続できないことを認識し、当該着信呼を生起した通信端末に対して話中音（ＢＴ）を送出することができる。
【０１２２】
（本実施形態に係る音声ゲートウェイ装置による作用・効果）
本実施形態に係る音声ゲートウェイ装置３０によれば、音声ゲートウェイ装置３０が複数の加入者回線４及び局線９を接続するため、必要な音声ゲートウェイ装置３０の数が低減され、設置スペースを削減することや音声ゲートウェイ装置３０の導入作業を容易にすることができる。
【０１２３】
また、本実施形態に係る音声ゲートウェイ装置３０によれば、局線接続部３２が、構内電話交換機２０に実装されるＦＸＯインターフェースと接続可能な信号条件や電気的特性を有するインターフェースを実装するため、構内電話交換機２０が音声ゲートウェイ装置３０を接続する以前に加入者回線４を接続していたＦＸＯインターフェースを継続して使用することが可能となる。このような音声ゲートウェイ装置３０を用いることにより、構内電話交換機２０に対する追加費用を回避しつつ低額な導入費用でＩＰ電話サービスを利用することができ、ＩＰ電話サービスの利用拡大に寄与することができる。
【０１２４】
さらに、本実施形態に係る音声ゲートウェイ装置３０によれば、接続制御部３５が、記憶部３７に格納されている電話番号情報に基づいて交換接続先を決定するため、電話端末１０の利用者は、ＩＰ網７または公衆電話回線網８を介した電話通信の選択を意識することなく、ＩＰ網７または公衆電話回線網８による電話サービスを使い分けることが可能となり、通信料金が低額なＩＰ電話サービスを優先して利用することができる。
【０１２５】
また、本実施形態に係る音声ゲートウェイ装置３０によれば、接続制御部３５が、局線９がすべて通信中の場合において、加入者回線接続部３１に接続される通信に使用されていない（アイドル状態の）他の加入者回線４を介して構内電話交換機２０対する着信呼を受信した場合には、公衆電話回線網８によって提供される電話サービスの付加サービスを利用して、公衆電話回線網８に対して局線９が通信中であることを示すことができる。これにより、局線９がすべて通信中のときに、加入者回線４を介して構内電話交換機２０に対する着信呼を受信した場合においても、公衆電話回線網８が、当該着信呼を生起した電話端末等の通信端末に対して、局線９が通信中であるために当該着信呼に応答できないことを確実に通知することができる。
【０１２６】
さらに、本実施形態に係る音声ゲートウェイ装置３０によれば、接続制御部３５が、構内電話交換機２０対する着信呼を生起した電話端末等の通信端末に対して、音声応答部３６に格納されたトーキーによって局線９が通信中であることを通知することができる。これにより、上述した番号情報送出機能や発信電話番号受信機能といった付加サービスを利用しない場合においても、音声ゲートウェイ装置３０が、当該着信呼を生起した電話端末等の通信端末に対して、局線９が通信中であるために当該着信呼に応答できないことを確実に通知することができる。
【０１２７】
また、本実施形態に係る音声ゲートウェイ装置３０によれば、ＩＰ網７が障害の場合には、接続制御部３５が、構内電話交換機２０から局線９を介して受信した通信先の電話番号にかかわらず、その局線９と、加入者回線接続部３１を介して加入者回線４とを交換接続する。
【０１２８】
さらに、本実施形態に係る音声ゲートウェイ装置３０によれば、局線９と、ＩＰ通信路６、または加入者回線４とを交換接続する機能が正常に動作しない場合には、接続制御部３５が、加入者回線４と局線９とを直結して電話通信を可能とする。
【０１２９】
これにより、本実施形態に係る音声ゲートウェイ装置３０は、ＩＰ網７や接続制御部３５等の障害の場合においても、加入者回線４を介して公衆電話回線網８による電話通信を提供することが可能となり、音声ゲートウェイ装置３０の稼働率を向上させることができる。
【０１３０】
【発明の効果】
以上説明したように本発明によれば、構内電話交換機を用いた環境において、ＩＰ電話サービスを容易に導入するための音声ゲートウェイ装置を提供することができる。
【図面の簡単な説明】
【図１】本発明の一実施形態に係る音声ゲートウェイ装置を含む通信システムの概略構成図である。
【図２】本発明の一実施形態に係る音声ゲートウェイ装置の機能ブロック図である。
【図３】本発明の一実施形態に係る音声ゲートウェイ装置の接続動作図である。
【図４】本発明の一実施形態に係る音声ゲートウェイ装置を含む通信システムの通信シーケンス図である。
【図５】本発明の一実施形態に係る音声ゲートウェイ装置を含む通信システムの通信シーケンス図である。
【図６】本発明の一実施形態に係る音声ゲートウェイ装置を含む通信システムの動作フロー図である。
【図７】従来の構内電話交換機を含む通信システムの概略構成図である。
【符号の説明】
１…ｘＤＳＬモデム、　２…スプリッタ、　３…中継端子、　４…加入者回線、　５…ＤＳＬＡＭ、　６…ＩＰ通信路、７…ＩＰ網、　８…公衆電話回線網、　９…局線、１０…電話端末、　２０…構内電話交換機、　３０…音声ゲートウェイ装置、　４０…コールエージェント、　５０…ＶｏＩＰアダプタ、　６０…電話端末、　７０ａ，７０ｂ…網間接続ゲートウェイ、　８０ａ，８０ｂ…加入者線交換機、　９０…一般加入電話端末
【図１】
2004128891.tif 000003
【図２】
2004128891.tif 000004
【図３】
2004128891.tif 000005
【図４】
2004128891.tif 000006
【図５】
2004128891.tif 000007
【図６】
2004128891.tif 000008
【図７】
2004128891.tif 000009